(57)【要約】【課題】ソート（整列）された項目に連動させてフィルタ（絞り込み）をかけるようにすることで検査情報リスト内の情報を検索する際の検索手順の簡略化を図るとともに、検索にかかる手間を少なくすることで検査のスループットを向上させることのできる医用診断装置を提供する。【解決手段】患者の検査情報を表わしたリストの各項目を整列する整列手段１３と、入力された文字種を判定する判定手段１２と、整列手段１３によって整列された項目と判定手段１２が判定した文字種とから判定手段１２が特定した絞り込みの対象に対して絞り込みを行う絞込手段１４とを備える。【選択図】図２
2008077573.tif 000002
【特許請求の範囲】
【請求項１】
患者の検査情報を表わしたリストの各項目を整列する整列手段と、
入力された文字種を判定する判定手段と、
前記整列手段によって整列された項目と前記判定手段が判定した文字種とから前記判定手段が特定した絞り込みの対象に対して絞り込みを行う絞込手段と、
を備えることを特徴とする医用診断装置。
【請求項２】
前記判定手段による絞り込みの対象の特定は、前記検査情報リストの項目と文字種とからなる検索リストを用いて行うことを特徴とする請求項１に記載の医用診断装置。
【発明の詳細な説明】
【技術分野】
【０００１】
本発明は、蓄積された情報の中から所望の情報を検索することのできる医用診断装置に関する。
【背景技術】
【０００２】
近年においては、例えば、Ｘ線診断装置やＣＴ（computed tomography：コンピュータ断層撮影）装置、超音波診断装置、磁気共鳴診断装置、ガンマカメラやＰＥＴ（positron-emission tomography：ポジトロン放出断層撮影）、及び診断用ワークステーション等の医用診断装置が普及し、多くの医療機関に導入されるようになっている。
【０００３】
これらの医用診断装置では、検査情報として、例えば、患者名、患者ＩＤ、検査日付、検査部位等をひとつのリストにして検査や保存する際に活用し、さらに検査結果として得た画像データ等とリンクさせて管理している。
【０００４】
但し、この検査情報リストは検査件数が増えるに従って増えるものであるため、後から検査情報を参照しようと思っても検索する件数が多くなる。また、この検査情報リストが無作為に並べられていると一層検索の手間、時間等がかかることになる。
【０００５】
この検査情報リストを検索するについては、例えば、以下の特許文献１において、複数項目からなる検索キーを持ち、この検索キーで全項目にわたる医用及び管理データを検索して読出して表示させる医用及び管理データの検索方法において、検索キーの各項目個別に医用及び管理データを検索して読出して表示させるようにした医用及び管理データの検索方法が開示されている。
【特許文献１】特開平７−１１４５７１号公報
【発明の開示】
【発明が解決しようとする課題】
【０００６】
しかしながら、上記特許文献１に開示されている発明では、検査情報リストの内容をソートとオペレータによるソート項目の選択とを繰り返すことで所望の情報を検索することになるため、検査情報リストが膨大な量になると、所望のリストを検索するまでの繰り返しの手順が多くなり、検索の手間が増える。
【０００７】
本発明は上記課題を解決するためになされたものであり、本発明の目的は、ソート（整列）された項目に連動させてフィルタ（絞り込み）をかけるようにすることで検査情報リスト内の情報を検索する際の検索手順の簡略化を図るとともに、検索にかかる手間を少なくすることで検査のスループットを向上させることのできる医用診断装置を提供することである。
【課題を解決するための手段】
【０００８】
本発明の実施の形態に係る特徴は、医用診断装置において、患者の検査情報を表わしたリストの各項目を整列する整列手段と、入力された文字種を判定する判定手段と、整列手段によって整列された項目と判定手段が判定した文字種とから判定手段が特定した絞り込みの対象に対して絞り込みを行う絞込手段とを備える。
【発明の効果】
【０００９】
本発明によれば、ソート（整列）された項目に連動させてフィルタ（絞り込み）をかけるようにすることで検査情報リスト内の情報を検索する際の検索手順の簡略化を図るとともに、検索にかかる手間を少なくすることで検査のスループットを向上させることのできる医用診断装置を提供することができる。
【発明を実施するための最良の形態】
【００１０】
以下、本発明の実施の形態について図面を参照して詳細に説明する。
【００１１】
本発明の第１の実施の形態に係る医用診断装置１においては、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力手段１ｆと、表示手段１ｇと、通信制御手段１ｈと、記憶手段１ｉと、リムーバブルディスク１ｊと、駆動部制御手段１ｋとが接続されており、駆動部制御手段１ｋによって医用診断装置１の各駆動部１ｌが制御される。
【００１２】
ＣＰＵ１ａは、入力手段１ｆからの入力信号に基づいてＲＯＭ１ｂから医用診断装置１を起動するためのブートプログラムを読み出して実行し、記憶手段１ｉに格納されている各種オペレーティングシステムを読み出す。さらにＣＰＵ１ａは、入力手段１ｆや入出力インターフェイス１ｄを介して、図１においては図示していない外部機器からの入力信号に基づいて各種装置の制御を行ったり、ＲＡＭ１ｃや記憶手段１ｉ等に記憶されたプログラム及びデータを読み出してＲＡＭ１ｃにロードするとともに、ＲＡＭ１ｃから読み出されたプログラムのコマンドに基づいて、データの計算または加工等、一連の処理を実現する処理装置である。
【００１３】
入力手段１ｆは、医用診断装置１の操作者が各種の操作を入力するキーボード、マウス等の入力デバイスにより構成されており、操作者の操作に基づいて入力信号を作成しバス１ｅを介してＣＰＵ１ａに送信される。また、医用診断装置１には、キーボード等だけでなく専用の操作パネルが設けられており、その操作パネル上の入力デバイスを介して操作画面に対する操作を行うこともできる。表示手段１ｇは、例えば液晶ディスプレイであり、例えばＣＰＵ１ａからバス１ｅを介して出力信号を受信し、検索結果等、ＣＰＵ１ａの処理結果等を表示する手段である。
【００１４】
通信制御手段１ｈは、ＬＡＮカードやモデム等の手段であり、医用診断装置１をインターネットやＬＡＮ等の通信ネットワークに接続することを可能とする手段である。通信制御手段１ｈを介して通信ネットワークと送受信したデータは入力信号または出力信号として、入出力インターフェイス１ｄ及びバス１ｅを介してＣＰＵ１ａに送受信される。
【００１５】
記憶手段１ｉは、半導体や磁気ディスクで構成されており、ＣＰＵ１ａで実行されるプログラムやデータが記憶されている。本発明の実施の形態においては、例えば、患者名、患者ＩＤ、検査日時、検査部位等、検査を行い、検査結果と組み合わせて管理を行う上で必要となる各種項目が記憶されている。また、検査情報リストに対する整列項目と絞込手段との対応関係を示した検索リスト（後述）も記憶されている。
【００１６】
リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００１７】
本発明の実施の形態における医用診断装置１の記憶手段１ｉには、例えば、検査情報リスト内の情報を検索するためのプログラムや検査情報等のデータが記憶される。また、この検索プログラムが医用診断装置１のＣＰＵ１ａに読み込まれ実行されることにより、情報検索手段１０が医用診断装置１に実装される。
【００１８】
なお、以下においては、検索プログラム等が記憶手段１ｉに記憶されている場合を例にとって説明するが、この検索プログラム等はリムーバブルディスク１ｊに格納されていても良い。
【００１９】
図２に示すように、情報検索手段１０は、入力手段１ｆからの入力信号を受信する受信手段１１と、受信された入力信号を判定する判定手段１２と、検査情報リストの各項目をソート（整列）する整列手段１３と、整列手段１３によってソートされた検査情報リストから所望の情報を検索するために用いる絞込手段１４と、整列、絞り込みが行われた検査情報リストを表示手段１ｇに表示させるためにそのデータを送信する送信手段１５とから構成される。
【００２０】
ここで、検査情報リストから所望の情報を検索する流れを、情報検索手段１０内の各手段の働きと併せて、図３に示すフローチャート、図４に示す検索リストを利用して説明する。図５ないし図８に示す検索状態に合わせて表示手段１ｇに表示される検査情報リストを表わす模式図である。
【００２１】
まず、検査情報の検索が開始されると、表示手段１ｇには、図５に示すような検査情報リストが表示される（ＳＴ１）。この検査情報リストは本発明の実施の形態においては、例えば、左から「患者名」、「（患者）ＩＤ」、「検査日付」、「検査部位」の各項目が設けられており、患者名を基準として各項目の情報が記憶されている。例えば、図５に示す検査情報リストの２段目（１段目は項目名）には、「１１１１」という患者ＩＤを持つ「Ｂｏｂ  Ｃ．」という患者が、「１１／３０  Ｗｅｄ」に「Ｈｅａｄ」の部位について検査を受けたことが表されている。この「患者名」から「検査部位」までの１行のリストに示される情報が患者１人分の情報を表わしている。
【００２２】
但し、図５に示されている検査情報リストは、いずれかの項目を基準に何らかの意味を持ってソート（整列）されているわけではなく、いずれの患者のリストもランダムに並んでいる。なお、各項目や検査部位はあくまでも例示であり、他の項目や部位を設けても良い。
【００２３】
検査情報リストに複数設けられている項目の中から検索者が注目している項目が選択されると（ＳＴ２）、その選択された項目が記憶される（ＳＴ３）。この選択項目は、図２に示すように記憶手段１ｉに記憶されても良く、また、ＲＡＭ１ｃに記憶されても良い。選択項目が記憶されるのは、検索は項目ごとにフィルタ（絞り込み）をかけていくことで行われることになることから、別の項目が選択されるまでは検索の対象となる項目を固定しておく必要があるからである。
【００２４】
判定手段１２は、検査情報リストが表示された直後に入力された信号は項目選択の信号であると判定して、選択項目を記憶手段１ｉに記憶させた後に整列手段１３に選択された項目をソート（整列）するように指示を出す。この整列手段１３からの信号に基づいてその項目がソート（整列）される（ＳＴ４）。すなわち、検索者が項目を選択することによって該当項目がソート（整列）される。例えば、図６に示す検査情報リストは、「患者名」の項目においてソート（整列）が行われた場合を表わしている。ここでは上から下に向かってアルファベット順に患者名が整列されている。患者名の横に「▼」が付されているのは、現在この項目についてソート（整列）がされ、検索が行われる対象となる項目であることを示している。
【００２５】
検索者はソート（整列）された項目を対象として検索を行うことになるが、このとき検索者はキーワードを入力するために入力手段１ｆの何らかの文字種のキーを押し下げるはずである。そこで、判定手段１２は、検索者が押し下げた文字種のキーの入力信号を判定する。本発明の実施の形態においては、まずデリートキー等の「クリアキー」が押し下げられたか否かが判定される（ＳＴ５）。なお、本発明の実施の形態において「文字種」には、漢字等の文字とともに、数字や記号等も含まれる。
【００２６】
クリアキーが押し下げられた場合は、ソート（整列）されるべき項目が適当ではなかったと判定することができることから、この場合は、判定手段１２が整列手段１３に対して表示手段１ｇに表示される検査情報リストを項目が選択される前の状態である初期状態に戻すよう指示を出す（ＳＴ６）。そして再度ソート（整列）する項目を選択するステップまで戻る（ＳＴ２）。
【００２７】
クリアキーが押し下げられたのではない場合には（ＳＴ５のＮ）、判定手段１２は検査情報リストのある項目が選択されてソート（整列）されているか否かを判定して（ＳＴ７）、整列が終了していない場合には、初期状態に戻す（ＳＴ６）。一方、整列されている状態である場合には、記憶手段１ｉから図４に示すような検索リストを読み出す（ＳＴ８）。そして、選択され整列済みの項目を再度確認した後（ＳＴ９）、押し下げられたキーの入力文字を判定する（ＳＴ１０）。
【００２８】
判定手段１２によって判定された入力文字は記憶手段１ｉに記憶されるとともに（ＳＴ１１）、この入力文字から検索リストにおける絞込手段を選択、特定する（ＳＴ１２）。つまり、ここで入力された文字は、検索リストに基づいて判定手段１２がいずれの絞込手段を選択するかの判断基準となるものである。
【００２９】
図４に示す検索リストは、横軸に「整列項目」が設けられ、縦軸に押し下げられた「キーの種類」が定められている。「整列項目」には、例えば、検査情報リストの項目が定められており、例えば、「検査日付」、「検査部位」、「患者名」等である。一方、「キーの種類」としては、例えば「数字」、「英字」、「記号」等が挙げられる。すなわち、例えば、「検査日付」についてソート（整列）がされて入力された文字が数字であった場合は、「月日」が入力されたと判定することができる。また、「検査部位」に関して英字が入力された場合は、図５に示すように「部位名」が入力されたと判定することができる。
【００３０】
「キーの種類」としてクリアキーが押し下げられた場合は、いずれの整列項目においても絞込条件のクリアと判断されて、クリアキーが押し下げられた一つ前に押し下げられたキーによる入力内容がクリアされる。なお、「Ｎ／Ａ」とあるのは「ｎｏｔ  ａｐｐｌｉｃａｂｌｅ」の略であり、その整列項目においてそのキーの種類を押し下げることは予定しておらず、そのようなキーが押し下げられた場合は検索が行われない。
【００３１】
絞込手段が選択、特定されると、判定手段１２は絞込手段１４に対して選択された項目に対し、その入力された文字に基づいて１回目のフィルタ（絞り込み）を行うよう指示を出す（ＳＴ１３）。そしてさらにキーの押し下げがあったか否かが判定され（ＳＴ１４）、キーの押し下げがあった場合には、入力された文字を記憶して（ＳＴ１５）、２回目のフィルタ（絞り込み）が行われる（ＳＴ１６）。このようにしてフィルタ（絞り込み）が重ねられていく。なお、絞り込むための文字の入力に関して、表示手段１ｇには文字を入力するための特別な欄が設けられているわけではなく、文字の入力は表示されているリスト上に直接行われる。このような入力欄を設けないことによって、カーソルを入力欄に合わせてそれから文字を入力する、という手間を省くことができる。
【００３２】
図７は、ソート（整列）の対象とされていた「患者名」の項目において絞り込みを重ねて一定の結果を得た状態を示した模式図である。ここでは、「患者名」の中から「Ｊｏｈｎ」という名を持つ患者に絞り込んでいる。また、項目名である「患者名」の横に入力された「Ｊｏｈｎ」が表示され、どの文字列でフィルタ（絞り込み）がかけられたかがわかるようにされている。
【００３３】
何度か絞り込みを行って検索を行うと、再度フィルタ（絞り込み）を行う項目を選択するか否かの問い合わせがなされる（ＳＴ１７）。この問い合わせは、例えば、最後にキーが押し下げられてから任意に定めることのできる所定時間の経過後に表示手段１ｇに表示されても良いし、または、図４の検索リストの最下欄に表わされているように、あるキーにある項目をソート（整列）させるように割り付けて、そのキーが押し下げられることによってなされてもよい。例えば、図４においては、あるキーにそのキーを押し下げることで検査日付の項目ついてソート（整列）を行うように役割を割り付けた「日付整列キー」が設けられていることを示している。従って、「検査部位」の項目においてフィルタ（絞り込み）をかけていたときに、例えば、「日付整列キー」が押し下げられると絞込手段の追加がなされたと判定され（ＳＴ１７のＹ）、再度項目選択のステップから検索が始まる（ＳＴ２）。
【００３４】
図８は再度ソート（整列）が行われる項目が選択されてフィルタ（絞り込み）が重ねられた場合の検査情報リストを示す模式図である。ここでは、まず「患者名」の欄がソート（整列）され「Ｊｏｈｎ」という名前の患者にフィルタ（絞り込み）が行われた（図７参照）後、さらに「検査日付」についてソート（整列）がなされ、再度「Ｆ」と「ｒ」の文字が入力されてフィルタ（絞り込み）が行われた状態を示している。項目名の欄には、最新にソート（整列）がされた項目を示す表示として「▼」が示され、その一つ前にソート（整列）がされた項目を示す表示として「▽」が示されている。
【００３５】
これ以上ソート（整列）が行われない場合には、最終的な検索結果が表示され（ＳＴ１８）、検索は終了する。なお、図３に示すフローチャートは、一入力ごとの処理を表わしている。そこで、さらに検索を行う場合は、ステップ１に戻る。
【００３６】
このようにすることで、ソート（整列）された項目に連動させてフィルタ（絞り込み）をかけて検査情報リスト内の情報を検索する際の検索手順の簡略化を図るとともに、検索にかかる手間を少なくすることで検査のスループットを向上させることのできる医用診断装置を提供することができる。
【００３７】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００３８】
【図１】本発明の実施の形態における医用診断装置の内部構成を示すブロック図である。
【図２】本発明の実施の形態における情報検索手段の内部構成を示すブロック図である。
【図３】本発明の実施の形態における情報検索の流れを示すフローチャートである。
【図４】本発明の実施の形態における検索リストを示す説明図である
【図５】本発明の実施の形態における検索状態に合わせて表示手段に表示される検査情報リストを表わす模式図である。
【図６】本発明の実施の形態における検索状態に合わせて表示手段に表示される検査情報リストを表わす模式図である。
【図７】本発明の実施の形態における検索状態に合わせて表示手段に表示される検査情報リストを表わす模式図である。
【図８】本発明の実施の形態における検索状態に合わせて表示手段に表示される検査情報リストを表わす模式図である。
【符号の説明】
【００３９】
１    医用診断装置
１ｆ  入力手段
１ｇ  表示手段
１ｉ  記憶手段
１０  情報検索手段
１１  受信手段
１２  判定手段
１３  整列手段
１４  絞込手段
１５  送信手段
【図１】
2008077573.tif 000003
【図２】
2008077573.tif 000004
【図３】
2008077573.tif 000005
【図４】
2008077573.tif 000006
【図５】
2008077573.tif 000007
【図６】
2008077573.tif 000008
【図７】
2008077573.tif 000009
【図８】
2008077573.tif 000010